(57)【要約】【課題】高集塵率で、排気風の臭気を低減する電気掃除機用集塵袋を提供する。【解決手段】吸入風が流入する吸入口１側の吸入口側袋壁５と、吸入口１に対向する被吸引側袋壁２と、吸入口１と被吸引側袋壁２間を形成する側周袋壁４と、被吸引側袋壁２の内面に設けられ、吸入風を側周袋壁４に向け分流させると共に側周袋壁４に沿って吸入口側袋壁５に向かう反転気流を生じさせる気流制御ガイド６とを備え、気流制御ガイド６の周辺部に通気部７を保有し、被吸引側袋壁２と気流制御ガイド６の間の浮きスペース４６に、脱臭及び／または抗菌除菌効能を有する粉末状材料６００を収納したもので、気流制御ガイド６で吸引風が反転されるので、側周袋壁４の吸入口１側で集塵されやすくなり、また、粉末状材料６００が通気部７から集塵袋１００内に放出され、塵埃３８の脱臭や除菌が効果的にできる。【選択図】図３
2011244972.tif 000002
【特許請求の範囲】
【請求項１】
塵埃を含む吸入風が流入する吸入口と、前記吸入口側の吸入口側袋壁と、前記吸入口に対向する被吸引側袋壁と、前記吸入口と前記被吸引側袋壁の間を形成する側周袋壁と、前記被吸引側袋壁の内面に設けられ、前記吸入風を前記側周袋壁に向け分流させると共に前記側周袋壁に沿って前記吸入口側袋壁に向かう反転気流を生じさせる気流制御ガイドとを備え、前記気流制御ガイドの周辺部を前記被吸引側袋壁に断続して設けた複数の付着域で付着させて、前記気流制御ガイドの周辺部に隙間を保有し、前記被吸引側袋壁の内面と前記気流制御ガイドによって形成される空間に、脱臭効能及び／または抗菌除菌効能を有する粉末材料を収納したことを特徴とする電気掃除機用集塵袋。
【請求項２】
被吸引側袋壁の内面と気流制御ガイドによって形成される空間に、前記気流制御ガイドの周辺部の隙間より大きい形状で、かつシリカゲルなどの周囲の湿度を低下させる材料を収納した請求項１に記載の電気掃除機用集塵袋。
【請求項３】
請求項１又は２に記載の電気掃除機用集塵袋を備えた電気掃除機。
【発明の詳細な説明】
【技術分野】
【０００１】
本発明は、電気掃除機用集塵袋とそれを用いた電気掃除機に関するものである。
【背景技術】
【０００２】
従来の電気掃除機用集塵袋（以下「集塵袋」という）とそれを用いた電気掃除機として、例えば、下記特許文献１、２、３に開示されたものがある。
【０００３】
特許文献１には、集塵室に収納した集塵袋の吸入口からの吸入風の向きを、吸入口の軸線に対して斜めに偏心させることで、吸入風を、吸入口と対向する被吸引側袋壁に向け、側周袋壁に沿うスパイラル流を形成するようにした集塵袋と電気掃除機が開示されている。吸入風のスパイラル流は、吸入風に随伴する塵埃を遠心分離し、側周袋壁への集塵率を高める。その結果、集塵率と、被吸引側での目詰まり防止効果との向上が図れる。
【０００４】
また、特許文献２には、平面状の熱可塑性プラスチックシートを集塵袋の被吸引側袋壁の外面に熱溶着した集塵袋が開示されている。この場合、熱可塑性プラスチックシートは、集塵袋の吸入口よりも大きな不通気性の部分を形成する。そして、この不通気性の部分により、吸入口から袋内に吸入されてくる吸入風は、中央部からそのまわりの側周袋壁側に向け分流され、側周袋壁に沿って吸入口側袋壁に向うように反転させられる。この吸入風の前記反転時の反転勢力によって、吸入風に随伴する塵埃を吸入口側に持ち運び集塵することで、集塵率と、被吸引側での目詰まり防止効果の向上を図ることができる。
【０００５】
さらに、特許文献３には、集塵袋の塵埃を吸引する開口部に脱臭剤を収納した収納ケースを備え、前記開口部内周面に吸引風によって集塵袋内へ導入する脱臭剤の排出口が設けられており、集塵袋内の塵埃と、吸引風によって導入された脱臭剤を混合することによって、集塵した塵埃の脱臭効果を得るようにした集塵袋と電気掃除機が開示されている。
【先行技術文献】
【特許文献】
【０００６】
【特許文献１】特開２００２−２９１６６３号公報
【特許文献２】特開昭６０−３４４２３号公報
【特許文献３】特許第４３８０６９０号公報
【発明の概要】
【発明が解決しようとする課題】
【０００７】
しかしながら、上記特許文献１に開示された電気掃除機用集塵袋や電気掃除機の構成では、吸入風のスパイラル流が集塵袋の吸入口から被吸引側に向かうので、その際の遠心作用により側周袋壁への集塵率を高められるが、その動圧の影響で塵埃が被吸引側袋壁の側に持ち運ばれやすく、集塵率は特許文献１中に図示されているように吸入口側よりも被吸引側で高い。
【０００８】
また、送風機室側からの吸引口域では、塵埃が集塵されていないようにも示されている。しかし、遠心分離されなかった塵埃は、被吸引側袋壁の吸引口との対向域で捕捉されることになる筈で、被吸引側の比較的広い範囲で目詰まりしやすい傾向がある。さらに、吸入風が集塵袋内に偏心しながら吸入されるための特別なガイド構造が必要になる。このような特別なガイド構造は、コスト上昇の原因になるし、集塵袋の収納作業において特別な手間が必要になり、利便性の低下の原因にもなる。
【０００９】
また、特許文献２に開示された電気掃除機用集塵袋は、集塵袋の被吸引側に吸入口よりも大きい不通気性の部分を設けただけである。従って、構造および着脱が簡単で、吸入風を吸入口側袋壁に向けて反転させることにより被吸引側での集塵率を抑えた分だけ、被吸引側での目詰まりを防止しやすいといえる。しかし、不通気性の部分は集塵袋の被吸引側の通気域を大きく塞いでしまうので圧損を招く。また、通気面積が少なくなる分だけ目詰まりの原因ともなる。さらに、圧損は、設計上、送風機の容量増大、吸引能力低下という課題となってより大きな影響となる。なぜなら、不通気性の部分による通気面積不足を、集塵袋の不通気性の部分域以外で確保しようとすると、集塵袋総面積の増大、大型化、コスト上昇の原因になるし、嵩低くするには、蛇腹状に保形するなど集塵袋側や集塵室側でさらなる工夫が必要になるからである。
【００１０】
また、特許文献３に開示された電気掃除機用集塵袋や電気掃除機の構成では、吸引口を設けた粒状や粉状の脱臭剤の収納部から、吸引風によって集塵袋内へ脱臭剤を塵埃とともに導入し、塵埃に脱臭剤を混合することによって脱臭効果を得ることができる。しかし、塵埃を脱臭するためにはきわめて細かい粉状剤にして塵埃に満遍なく混合する必要があり、細かい粉状の脱臭剤は集塵袋の目詰まりを誘発しやすくなってしまうのである。
【００１１】
本発明は、このような従来の課題を解決するもので、構造、着脱の簡単な不通気性の部分による吸入風制御の技術を有しながら、不通気性の部分による圧損を回避ないしは抑制でき、しかも集塵した塵埃の脱臭効果を得ることができる電気掃除機用集塵袋とそれを用いた電気掃除機を提供することを目的とするものである。
【課題を解決するための手段】
【００１２】
上記従来の課題を解決するために、本発明の電気掃除機用集塵袋は、塵埃を含む吸入風が流入する吸入口と、前記吸入口側の吸入口側袋壁と、前記吸入口に対向する被吸引側袋壁と、前記吸入口と前記被吸引側袋壁の間を形成する側周袋壁と、前記被吸引側袋壁の内面に設けられ、前記吸入風を前記側周袋壁に向け分流させると共に前記側周袋壁に沿って前記吸入口側袋壁に向かう反転気流を生じさせる気流制御ガイドとを備え、前記気流制御ガイドの周辺部を前記被吸引側袋壁に断続して設けた複数の付着域で付着させて、前記気流制御ガイドの周辺部に隙間を保有し、前記被吸引側袋壁の内面と前記気流制御ガイドによって形成される空間に、脱臭効能及び／または抗菌除菌効能を有する粉末材料を収納したもので、気流制御ガイドは、集塵袋の吸入口から吸入され向ってくる吸入風を、吸入口から被吸引側袋壁に向かう方向の通気抵抗を増大させて受け、受けた吸入風を中央部から側周袋壁側に向け分流させるように案内し、側周袋壁に沿って吸入口側袋壁に向うように反転する反転気流を発生させる。この反転気流の初期勢力によって吸入風に随伴する塵埃の特に大きく、重いものは通過するので被吸引側袋壁では集塵されにくく、側周袋壁の吸入口側で集塵されやすくなる。
【００１３】
また、捕集され難く吸入風に最後まで随伴しやすい微塵は、反転気流の動圧の影響を受けない被吸引側袋壁の気流制御ガイドまわりと側周袋壁とのコーナ部がなす空気の淀み領域や、勢力の減衰によって随伴力が低下した側周袋壁内面の近傍領域などにて、吸引側との静圧差ないしはそれに近い準静圧差で吸入風が吸引側に抜ける領域で捕集されるようになる。
【００１４】
また、気流制御ガイドは、吸入口から被吸引側袋壁の方向への空気の流れに対しては、ある程度の通気抵抗となる。従って、吸引口から集塵袋に入った吸入風は、直接被吸引側袋壁からは抜けにくい。言い換えると、吸入風は、気流制御ガイドがない場合と比較して、より集塵袋全体から抜けやすい。すなわち、集塵袋に対する吸引力は、被吸引側袋壁の気流制御ガイドまわりと側周袋壁とのコーナ部がなす空気の淀み領域や、弱勢力となる特定の分流方向の間の空間、また勢力の減衰によって吸引力の影響が低下した側周袋壁内面
の近傍領域にも及ぶ。
【００１５】
また、前記気流制御ガイドによって中央部から側周袋壁側に向け分流させられた気流の動圧を受けて、前記気流制御ガイドと前記被吸引側袋壁との間にできる空間に収納された脱臭効能あるいは抗菌除菌効能を有する粉末材料が、隙間から集塵袋内に誘引されるように放出されるので、集塵袋内の塵埃の脱臭や除菌を効果的に行うことができる。
【発明の効果】
【００１６】
本発明の電気掃除機用集塵袋は、被吸引側袋壁に気流制御ガイドが設けられているので、吸入口からの吸引風を集塵袋の中央部から側周袋壁側に向け分流し、側周袋壁に沿って吸入口側袋壁に向かう反転気流を生じさせる。これによって、被吸引側壁側では通気抵抗が増大し、被吸引側のコーナ部がなす空気の淀み領域や側周袋壁内面の近傍領域などでは吸引側との静圧差ないしは準静圧差による高い通気性能を有する。
【００１７】
集塵袋中で構成される上記のような状態では、吸入風に随伴している塵埃の中で特に大きく重い塵埃は、反転気流の勢力により、被吸引側よりも側周袋壁の吸入口側で集塵されやすくなる。また、捕集され難い微塵は、被吸引側壁に集中して捕集されずに、被吸引側のコーナ部がなす空気の淀み領域や側周袋壁内面の近傍領域などで効率よく捕集されるようになる。これらの作用によって高い、集塵率、被吸引側袋壁の目詰まり防止効果を満足することができる。
【００１８】
さらに、被吸引側袋壁の内面と気流制御ガイドによって形成される空間に、脱臭効能あるいは抗菌除菌効能を有する粉末材料を収納し、その空間と集塵袋内と連通する隙間を設けることによって、反転気流の動圧を受けて集塵袋内に放出された脱臭効能あるいは抗菌除菌効能を有する粉末材料が、塵埃に混合されて塵埃の悪臭を脱臭する。またあるいは、抗菌除菌材料によって塵埃に含まれる菌の繁殖と、菌によるごみの腐敗から発生する悪臭を防止することができる。
【００１９】
また、脱臭効能あるいは抗菌除菌効能を有する材料は、効果を高めるためには粉末状で塵埃に満遍なく混合することが必要であり、これらの粉末材料による被吸引側袋壁の目詰まり防止効果を満足することができる。
【００２０】
特に、本発明の集塵袋に配置された気流制御ガイドは、淀み領域にも十分な吸引力を及ばせることができ、微塵の捕集にも有効利用するので、早期目詰まりの原因にはならないし、気流制御ガイドによる圧損を回避ないしは抑制することができる。
【００２１】
また、本発明の電気掃除機は、請求項１又は２に記載の電気掃除機用集塵袋を備えたもので、塵埃の集塵効率が高く、また、排気風の臭気を低減することができる。
【図面の簡単な説明】
【００２２】
【図１】（ａ）本発明の実施の形態１における係る電気掃除機用集塵袋の正面図、（ｂ）同電気掃除機用集塵袋の断面図
【図２】同電気掃除機用集塵袋の使用状態を透視状態で示す斜視図
【図３】（ａ）同電気掃除機用集塵袋を搭載した電気掃除機の掃除機本体の縦断面図、（ｂ）同電気掃除機の要部横断面図
【図４】同掃除機本体の集塵室を開いて収納している集塵袋を透視状態で示す斜視図
【図５】同電気掃除機の全体の斜視図
【図６】（ａ）〜（ｆ）同電気掃除機用集塵袋に設ける気流制御ガイドの複数の形状例を模方的に示す説明図
【図７】同気流制御ガイドの付着周辺部または付着周辺部を含む対向面を平坦としたときの非付着域が通気部として働く状態の説明図
【図８】周辺部から中央に隆起する富士山型にしたガイド形状の気流制御ガイドを設けた集塵袋の使用状態を透視して示す斜視図
【図９】周辺部から中央に隆起する富士山型で、螺旋凹部を周方向に配列したガイド形状の気流制御ガイドを設けた集塵袋の使用状態を透視して示す斜視図
【図１０】同気流制御ガイドを被吸引側に突出した脚リブにて被吸引側袋壁に付着し双方間に通気部を形成した集塵袋の使用状態を透視して示す斜視図
【図１１】同電気掃除機用集塵袋の通気圧力損失特性を比較して示すグラフ
【図１２】ごみによる風量低下率特性を比較して示すグラフ
【発明を実施するための形態】
【００２３】
第１の発明は、塵埃を含む吸入風が流入する吸入口と、前記吸入口側の吸入口側袋壁と、前記吸入口に対向する被吸引側袋壁と、前記吸入口と前記被吸引側袋壁の間を形成する側周袋壁と、前記被吸引側袋壁の内面に設けられ、前記吸入風を前記側周袋壁に向け分流させると共に前記側周袋壁に沿って前記吸入口側袋壁に向かう反転気流を生じさせる気流制御ガイドとを備え、前記気流制御ガイドの周辺部を前記被吸引側袋壁に断続して設けた複数の付着域で付着させて、前記気流制御ガイドの周辺部に隙間を保有し、前記被吸引側袋壁の内面と前記気流制御ガイドによって形成される空間に、脱臭効能及び／または抗菌除菌効能を有する粉末材料を収納したもので、気流制御ガイドは、集塵袋の吸入口から吸入され向ってくる吸入風を、吸入口から被吸引側袋壁に向かう方向の通気抵抗を増大させて受け、受けた吸入風を中央部から側周袋壁側に向け分流させるように案内し、側周袋壁に沿って吸入口側袋壁に向うように反転する反転気流を発生させる。この反転気流の初期勢力によって吸入風に随伴する塵埃の特に大きく、重いものは通過するので被吸引側袋壁では集塵されにくく、側周袋壁の吸入口側で集塵されやすくなる。
【００２４】
また、捕集され難く吸入風に最後まで随伴しやすい微塵は、反転気流の動圧の影響を受けない被吸引側袋壁の気流制御ガイドまわりと側周袋壁とのコーナ部がなす空気の淀み領域や、勢力の減衰によって随伴力が低下した側周袋壁内面の近傍領域などにて、吸引側との静圧差ないしはそれに近い準静圧差で吸入風が吸引側に抜ける領域で捕集されるようになる。
【００２５】
また、気流制御ガイドは、吸入口から被吸引側袋壁の方向への空気の流れに対しては、ある程度の通気抵抗となる。従って、吸引口から集塵袋に入った吸入風は、直接被吸引側袋壁からは抜けにくい。言い換えると、吸入風は、気流制御ガイドがない場合と比較して、より集塵袋全体から抜けやすい。すなわち、集塵袋に対する吸引力は、被吸引側袋壁の気流制御ガイドまわりと側周袋壁とのコーナ部がなす空気の淀み領域や、弱勢力となる特定の分流方向の間の空間、また勢力の減衰によって吸引力の影響が低下した側周袋壁内面の近傍領域にも及ぶ。
【００２６】
また、前記気流制御ガイドによって中央部から側周袋壁側に向け分流させられた気流の動圧を受けて、前記気流制御ガイドと前記被吸引側袋壁との間にできる空間に収納された脱臭効能あるいは抗菌除菌効能を有する粉末材料が、隙間から集塵袋内に誘引されるように放出されるので、集塵袋内の塵埃の脱臭や除菌を効果的に行うことができる。
【００２７】
第２の発明は、特に、第１の発明の被吸引側袋壁の内面と気流制御ガイドによって形成される空間に、前記気流制御ガイドの周辺部の隙間より大きい形状で、かつシリカゲルなどの周囲の湿度を低下させる材料を収納したもので、気流制御ガイドと被吸引側袋壁との間の空間と、集塵袋内は隙間を通して連通しているので、周囲の湿度を低下させる材料により、集塵袋内の塵埃が常に除湿され、塵埃に含まれる雑菌の繁殖を抑制することができる。
【００２８】
第３の発明に係る電気掃除機は、請求項１又は２に記載の電気掃除機用集塵袋を備えたもので、塵埃の集塵効率が高く、また、排気風の臭気を低減することができる。
【００２９】
以下、本発明の実施の形態について、図面を参照しながら説明する。なお、この実施の形態によって本発明が限定されるものではない。
【００３０】
（実施の形態１）
本発明の実施の形態１に係る電気掃除機用集塵袋の幾つかの具体例と、それを用いた電気掃除機の１つの具体例について図１〜図１２を参照しながら以下に説明し、本発明の理解に供する。以下の説明は、本発明の具体例であって、特許請求の範囲を限定するものではない。
【００３１】
本発明の電気掃除機用集塵袋の実施の形態は、図１〜図４に示す例、図８に示す例、図９に示す例、図１０に示す例で、集塵袋１００で代表して示す。
【００３２】
本実施の形態における電気掃除機用集塵袋（以下「集塵袋１００」という）には、吸入口１に対向する被吸引側袋壁２に、気流制御ガイド６が設けられている。この気流制御ガイド６と被吸引側袋壁２との間には、集塵袋１００内部に通ずるようにした１ｍｍから３ｍｍ程度の通気部７が形成されている。より詳しくは、通気部７は、被吸引側袋壁２の袋内部面上で、気流制御ガイド６に対向している対向域２ａ（図６参照）と気流制御ガイド６との間に設けられた隙間である。
【００３３】
この気流制御ガイド６は、吸入口１から集塵袋１００内に吸入された吸入風３からみると通気抵抗となり、吸入風３を中央部から側周袋壁４に向け分流させ、側周袋壁４に沿って吸入口側袋壁５に向かう反転気流３ａを生じさせる。
【００３４】
このように、気流制御ガイド６は、集塵袋１００の吸入口１から吸入されてくる吸入風３を、ガイド面６ｄで受け、受けた吸入風３を、ガイド面６ｄの形状に応じて中央部から側周袋壁４側に向け左右、上下といった２以上の特定方向または全周に分流させる。特に、ガイド面６ｄの少なくとも中央部に吸入口１側に向く突出部４００を有することにより、平坦面の場合よりも高い分流勢力を保って側周袋壁４に十分に達し、側周袋壁４沿いに吸入口側袋壁５に向うように反転する、強い勢力の反転気流３ａを発生させられる。
【００３５】
また、気流制御ガイド６は、吸入口１から被吸引側袋壁２の方向の空気の流れに対しては、ある程度の通気抵抗となる。従って、吸入口１から集塵袋１００に入った吸入風３は、直接、被吸引側袋壁２からは抜けにくい。言い換えると、吸入風３は、気流制御ガイド６がない場合と比較して、より集塵袋１００全体から抜けやすい。すなわち、集塵袋１００に対する吸引力は、被吸引側袋壁２の気流制御ガイド６のまわりと側周袋壁４とのコーナ部９がなす空気の淀み領域１１や、弱勢力となる特定の分流方向の間の空間、また勢力の減衰によって吸引力の影響が低下した側周袋壁４内面の近傍領域にも及ぶ。
【００３６】
そして、反転気流３ａの反転直後の高い初期勢力によって、吸入風３に随伴する塵埃３８の中でも、大きく、重いものは、被吸引側袋壁２の前を通過させるので、被吸引側袋壁２側よりも、側周袋壁４の吸入口１側で集塵されやすくなる。また、小さく軽いために吸入風３に最後まで随伴しやすい微塵は、反転気流３ａの動圧の影響を受けない被吸引側袋壁２の気流制御ガイド６まわりと側周袋壁４とのコーナ部９がなす空気の淀み領域１１や、弱勢力となる特定の分流方向の間の空間、勢力の減衰によって影響が低下した側周袋壁４内面の近傍領域で捕集される。
【００３７】
この結果、集塵率と、被吸引側袋壁２の目詰まり防止効果とを十分に満足した上で、通気面積減少による早詰まりや、気流制御ガイド６による圧損を回避ないしは抑制することができる。従って、圧損に対応するための電動送風機２１の容量増大や集塵袋１００の大型化は、解消ないしは軽減される。
【００３８】
また、気流制御ガイド６と被吸引側袋壁２とで形成される空間である浮きスペース４６には、図３（ｂ）に示すように、脱臭効能あるいは抗菌除菌効能を有する粉末状材料６００を収納することができる。例えば、粉末状の疎水性ゼオライトに銀系の抗菌剤を約０．５％混合したものにすれば、一般家庭で集塵される塵埃の悪臭防止と、塵埃に含まれる雑菌の繁殖による腐敗臭の発生を防止することができる。
【００３９】
疎水性ゼオライトは、小麦粉と同態様であるため、電気掃除機を使用しているときの振動程度では１ｍｍから３ｍｍ程度の通気部７の隙間から、こぼれだしてしまうことは少ない。
【００４０】
気流制御ガイド６が、被吸引側袋壁２の内面２ｂに付着して取付けられる場合、周辺部を被吸引側袋壁２に断続して付着させて、２つの付着域６ａ、６ａの間の非付着域６ｂを、前記集塵袋１００内への通気部７とすることができる。
【００４１】
気流制御ガイド６のガイド面６ｄによって分流された反転気流３ａが、ガイド面６ｄの裾端を通過する際に、通気部７には反転気流３ａの動圧による負圧が発生する。いわゆるベンチュリー効果によって、気流制御ガイド６と被吸引側袋壁２とで形成される浮きスペース４６に収納された粉末状材料６００は、集塵袋１００内へと誘引されて反転気流３ａと随伴する塵埃３８に混ざり合い、塵埃３８に付着して脱臭効果あるいは抗菌除菌効果を発揮することができる。
【００４２】
図１０に示す例では、気流制御ガイド６と被吸引側袋壁２とで形成される浮きスペース４６に直径が約３ｍｍを超えるシリカゲル粒７００を収納している。この場合、通気部７で集塵袋１００の内部と連通しているため、集塵袋１００内に捕集した塵埃３８の除湿効果を発揮し、塵埃３８に含まれる雑菌の繁殖を抑制することができるものである。また、電気掃除機を使わず、収納している間にも、シリカゲル粒７００の除湿作用を発揮することができる。
【００４３】
気流制御ガイド６は、被吸引側袋壁２に対する通気抵抗増大を伴い、吸入風３に対する所定の案内ができればよく、その材質や成形方法は特に問うものではない。例えば、プラスチックシートの真空成形といった熱成形は、各種立体形状に簡単かつ安価に製造できる。このようにして成形された気流制御ガイド６は、ポリプロピレンなどの不織布よりなる集塵袋１００の被吸引側袋壁２に対し超音波溶着や熱溶着によって簡単に付着させることができる。もちろん、付着方法も特に問うものではなく、接着や縫合鋲止めなど他の方法によることもできる。
【００４４】
図１に示す例および、図６に示す各例では、気流制御ガイド６は、いずれも環状に形成した付着周辺部６ｃから立ちあがってガイド面６ｄに繋がる立ち上がり周壁６ｅを持った真空成形による一次加工品を示している。具体的には、前記一次加工品は、トムソン加工による輪郭整形として、付着周辺部６ｃおよび立ち上がり周壁６ｅの付着域６ａに対応する範囲を除き、非付着域６ｂに対応する範囲を切除したものである。
【００４５】
このように形成した気流制御ガイド６は、切除していない付着周辺部６ｃを被吸引側袋壁２に溶着することにより、付着周辺部６ｃおよび立ち上がり周壁６ｅが切除された範囲に対応する非付着域６ｂが、被吸引側袋壁２から浮き上がった通気部７を形成する。従っ
て、被吸引側袋壁２の気流制御ガイド６との対向域２ａが、平坦面を維持するように吸引側から支持されても通気部７や浮きスペース４６が被吸引側袋壁２に密着することはない。
図１０に示す例の気流制御ガイド６は、平坦な付着周辺部６ｃから裏面側、つまりガイド面６ｄとは反対側から突出した脚リブ６ｆを被吸引側袋壁２の内面２ｂに付着させて、気流制御ガイド６と被吸引側袋壁２との間にできる浮きスペース４６を常に確保するようにしたものである。
【００４６】
この浮きスペース４６は、気流制御ガイド６の側方において集塵袋１００内に開放されており、通気部７を形成する。従って、被吸引側袋壁２の吸引のされ方にかかわらず閉じられることはない。このような脚リブ６ｆは、気流制御ガイド６のガイド面６ｄの形状に影響なく真空成形するのは困難で、脚リブ６ｆを後付けするか、樹脂材料をインジェクション成形するといった型成形が好適となる。
【００４７】
以上のような本実施の形態における集塵袋１００を用いた電気掃除機２００について、図３〜５を用いて説明する。
【００４８】
図３〜５において、電気掃除機２００は、後部に電動送風機２１を内蔵した送風機室２２を、前部に、塵埃３８を捕集する集塵袋１００を、図４に開いて示された上部蓋２６の開閉を伴い着脱できるように収納する集塵室２３をそれぞれ配した掃除機本体３００を備えている。
【００４９】
送風機室２２と集塵室２３とを仕切る仕切壁２２ａに、電動送風機２１からの吸引力を集塵室２３側に及ぼす吸引口２４が開口し、掃除機本体３００の後部には、電動送風機２１からの送風を外部に排気する排気口８が開口している。
【００５０】
集塵室２３は、掃除機本体３００の前部に収納した集塵袋１００の吸入口１と繋がるホース接続口２５が開口し、送風機室２２の吸引口２４は、集塵室２３に収納した集塵袋１００の被吸引側袋壁２に対向して位置する。そして、集塵室２３は、吸引口２４からの吸引力が、収納した集塵袋１００の被吸引側袋壁２および側周袋壁４の外まわりに及ぶように収納する。
【００５１】
この吸入口１とホース接続口２５との繋がりを確保するのに、集塵室２３の内面のホース接続口２５が開口している部分の両側に、吸入口１を有して集塵袋１００の吸入口側袋壁５に接着などして空気漏れのないよう固着ないしは貼合わせた厚手の口紙２８を上方から受け入れる口紙挿入部２９を有する。この口紙挿入部２９に口紙２８を上方から挿入することで、口紙２８がホース接続口２５の内側開口に設けたシール部材３１のシールリップ３１ａに圧着し、吸入口１は、ホース接続口２５に空気漏れのないように繋がる。なお、口紙２８の挿入状態は、上部蓋２６の側の押さえ片３０によって、上方から保持されるのに併せ、シールリップ３１ａの側に押圧もされて、上部の密着が甘くならないようにされている。
【００５２】
これにより、電動送風機２１が動作すると、電動送風機２１は、吸引口２４を通じた吸引を行い、排気口８に向い排気される送風を発生させる。このときの吸引口２４での吸引は、集塵室２３を通じ、集塵袋１００の外まわりから吸入口１に及び、これに繋がるホース接続口２５、ホース接続口２５に接続パイプ３３を介し接続された図５に示すホース３２、ホース３２の先端に先端パイプ３４を介し接続された吸い込み具３５の図示しない吸い口に及ぶ。このとき、電気掃除機２００として、図５に示すように、掃除機本体３００に接続した吸い込み具３５から塵埃３８が外気と共に吸い込まれて、吸入口１から集塵袋１００内に吸入される吸入風３が発生する。
【００５３】
この集塵袋１００内に吸入される吸入風３は、集塵袋１００の吸入口１に対向する被吸引側袋壁２、特に、この被吸引側袋壁２に設けられた気流制御ガイド６の部分に向かい、気流制御ガイド６が通気抵抗となって受け止められて、そのガイド面６ｄの形状に応じた中央部から側周袋壁４の側に分流される作用が確保され、既述した集塵率と、被吸引側袋壁２の目詰まり防止効果の向上が図れる。
【００５４】
なお、吸入風３の吸入向きは、吸入口１から吸引口２４に向かう。本実施の形態では、吸入口１よりも上側に寄って開口している吸引口２４に向く斜め上方への流れとなるので、この流れを受ける位置に気流制御ガイド６を配置している。もっとも、集塵袋１００の図１に示す折り畳み形態では、吸入口１と気流制御ガイド６との位置がほぼ同心に対応するようにしている。
【００５５】
ここで、送風機室２２の吸引口２４は、図３、４に示すように、吸入風３によって押し付けられる集塵袋１００の被吸引側袋壁２を、通気を損なわずに吸引側から支持する格子状などとした通気支持部２７を有している。そして、気流制御ガイド６以外が、吸引口２４の範囲内で被吸引側袋壁２を不通気にしたり、通気抵抗増大部が形成されないようにしている。
【００５６】
併せて、集塵袋１００は、集塵室２３内で、集塵袋１００の側周袋壁４の外まわり、特に、上部を優先して、ないしは左右や下部を含んで、集塵室２３との間に吸引通路４１を残すように上部蓋２６に設けたリブ４２などで外まわりから支持して収納するようにしている。
【００５７】
気流制御ガイド６のガイド面６ｄは、単純には、図６（ａ）に示すように平坦でもよく、図示するような常時開放した通気部７に代えて、図７に例示するように、通常は、気流制御ガイド６と被吸引側袋壁２とが密着しているような通気部７を採用することにより、全体が平坦なシート部材ないしは板部材とすることができる。
【００５８】
この場合、吸入風３は、平坦なガイド面６ｄにほぼ直角な向きから突入するので、平坦面に沿って中央部から中央部まわり全周に向け分流されて、側周袋壁４の全周にほぼ直角な方向に向かう。しかし、側周袋壁４に沿って自由度の高い吸入口側袋壁５の側に向きを変えて流れる。つまり、吸入口１側に向け反転し、集塵率と、被吸引側袋壁２の目詰まり防止効果を向上させる。
【００５９】
また、図６（ｂ）に示す例は、気流制御ガイド６のガイド面６ｄの中央部に、実線で示すような凸部６ｇが仮想線で示すように一方向に延びる一文字形態で設けたもので、これにより、気流制御ガイド６のガイド面６ｄが受ける吸入風３を、凸部６ｇにより両側へ振り分けて、２方向に分流させる。
【００６０】
また、図６（ｃ）に示す例は、図６（ｂ）に示す凸部６ｇを突出側に向け尖らせた尖鋭突部６ｈとすることで、吸入風３に対する両側へ振り分け分流するときの、吸入風３との衝突を無くして勢力の減衰を防止しやすくしている。これによって、吸入風３の反転による塵埃３８の吸入口側袋壁５側への持ち運び作用を高められる。従って、集塵率と、被吸引側袋壁２の目詰まり防止効果をさらに高められる。
【００６１】
図６（ｄ）に示す例は、図１〜図４に示したものと共通しており、図６（ｄ）に実線で示すように中央部が周辺部から山状に湾曲しながら隆起し、峰部が仮想線で示すように長手方向に中央部から両端側に向け湾曲しながら低くなる山状突部６ｉとしてある。これらは、さらに滑らかに、さらに勢力の減衰少なく両側に分流することができる。また、分流
強度を、山状突部６ｉの中央部で高く、両端側に低くしていくことで、吸入風３の分流域と非分流域との境界で流が乱れ、塵埃３８の捕集域が被吸引側袋壁２の側に乱れ及んで、集塵率と、被吸引側袋壁２の目詰まり防止効果が低下するのを抑制できる。
【００６２】
さらに、図６（ｅ）に示す例は、図６（ｄ）に示す例の山状突部６ｉの形状を踏襲しながら、分流方向の終端部で湾曲向きが反転する凹曲面６ｊを持った山状突部を形成したものである。これにより、吸入風３の側周袋壁４側への分流を、吸入口側袋壁５側に向かう方向成分を持って強制反転させられる。その結果、側周袋壁４への衝突による勢力の減衰、随伴している塵埃３８の衝突分離を抑え、吸入口１側での集塵率を高められる。
【００６３】
塵埃３８の吸引口２４側での集塵率を高めるには、凹曲面６ｊによる吸入風３の強制反転は、吸入風３に随伴している塵埃３８を遠心分離する程の急反転を回避するのが好適である。塵埃３８が反転気流に随伴できなければ、被吸引側袋壁２と側周袋壁４とで作られるコーナ部９に塵埃３８が捕集されるからである。そこで、強制反転後の吸入風３が側周袋壁４に対し向う角度θは、例えば、４５°〜６０°程度が好適であるが、この範囲の角度に限定されるものではない。なお４５°未満では側周袋壁４により大きく重い塵埃３８の衝突分離が生じやすくなり、６０°以上では吸入風３の強制反転により大きく重い塵埃３８の遠心分離が生じやすくなる。
【００６４】
図６（ｂ）〜（ｅ）の例のいずれの気流制御ガイド６も、吸入風３を両側に分流するものであり、図１〜図４に示す例では、左右に分流する向きで気流制御ガイド６を配置してある。これは、図１（ａ）、（ｂ）に示すように、ほぼ正方形の袋材１００ａ、１００ｂを２枚重ねにして周辺を溶着などして連続的な封止部４４とした集塵袋１００を、図１（ａ）に一点鎖線で示す折れ線５１で折り、被吸引側袋壁２部と吸入口側袋壁５部との図２に示す前後方向に引き離して使用する際の形態が、図２、図３に示すように横長になることに対応したものである。
【００６５】
このような集塵袋１００では、吸入口１を通じ集塵袋１００内に吸引されて吸入口１に対向する被吸引側袋壁２に向かう吸入風３を、気流制御ガイド６の前記折れ線５１に直交する向きの前記凸部６ｇ、尖鋭突部６ｈ、山状突部６ｉにより、折れ線５１に平行な左右方向に分流させることにより、横長な集塵袋１００の側周袋壁４の両側部に沿って吸入口側袋壁５側に向かわせ、集塵袋１００の広い横長領域４５の吸入口側袋壁５側に捕集されやすくすることができる。
【００６６】
なお、山状突部６ｉの峰部から裾部への湾曲半径は、気流制御ガイド６の直径の１０〜９０％、峰のガイド面６ｄの外周位置からの高さは、同直径の１０〜１５％がよい。具体例としては、図１１に示す通気圧力損失の実験結果（ａ）、図１２に示す風量低下率実験結果（ａ）での数値データを近似してイレギュラーなデータを排除して見た傾向性から、直径は４５ｍｍ〜６０ｍｍが好適である。また、図１１に示す通気圧力損失の実験結果（ｂ）、図１２に示す風量低下率実験結果（ｂ）での数値データを近似してイレギュラーなデータを排除して見た傾向性から、曲率半径は５〜４０ｍｍ、高さは６ｍｍ〜８ｍｍが好適である。
【００６７】
以上の結果、通気抵抗が増大するのを抑えながら、集塵率と、被吸引側袋壁２の目詰まり防止効果とを高めることができる。この場合、図１〜図４に示す例では、気流制御ガイド６のガイド面６ｄ側から見た正面形状を円形に形成してあるが、集塵袋１００の使用時の横断面形状に近い、あるいは相似な正面形状にすると、側周袋壁４までの距離に比例したガイド面６ｄの長さで吸入風３の分流による案内を行うことができる。
【００６８】
この意味で、図１〜図４に示す気流制御ガイド６の円形な正面形状を横長な四角形、楕
円形などとして、図６（ａ）〜（ｅ）に示すようなガイド面６ｄを採用することもできる。なお、気流制御ガイド６は、そのガイド面６ｄの軸線を例えば吸入口１側に向け下側に傾斜するよう配置してもよい。これによって、吸入風３を分流し反転させて集塵袋１００内の吸引側に捕集されるようにする捕集位置を、軸線の傾き側、例えば下側などに偏位させて、側周袋壁４の上部側への通気を十分に確保することができる。
【００６９】
さらに、図６（ｂ）〜（ｅ）に実線で示す断面形状が、中心軸まわりに連続したガイド面６ｄとすることもできる。これにより、図６（ａ）に示す平坦なガイド面６ｄに対して、図６（ｂ）〜（ｅ）に示すガイド面６ｄの形状に応じて持つ有利な分流特性を、中心軸まわりの全周において発揮するものとなる。
【００７０】
図８に、図６（ｄ）に示す例の断面形状を頂点部６ｎの中心軸まわりに連続した富士山型のガイド面６ｄとした場合の吸入風３の分流状態を示しており、集塵袋１００の吸入口側袋壁５側での吸入口１まわり、吸入口１からの吸入風３まわりでの集塵率を高められる。
【００７１】
これに対し、図９に示す例は、図８に示す例の富士山型のガイド面６ｄに、凹条螺旋６ｄ１を形成することにより、ガイド面６ｄで受けて軸線まわりに側周袋壁４に向け吸入風３を分流させる方向に捻りを与えて、軸線まわりの旋回流として反転させられるようにしている。これにより、吸入風３の分流、反転時の遠心力による被吸引側袋壁２側での塵埃３８の分離を抑えたまま、側周袋壁４への衝突角度をさらに抑えて塵埃３８が衝突分離されるのを回避しやすくした。
【００７２】
またさらに、吸入風３が反転後に吸入口側袋壁５に到達するまでの経路長を、旋回流となっている分だけ長くすることで、吸引側での集塵率をさらに高めやすくした。このような凹条螺旋６ｄ１は、図６（ｂ）〜（ｅ）の断面形状を軸線まわりに連続させた場合のどのガイド面６ｄに適用しても有効である。これらの場合も、気流制御ガイド６の正面形状は集塵袋１００の横断面に近いか相似形、楕円形などとして上記の場合同様の利点が得られる。
【００７３】
図示例のように、気流制御ガイド６の正面形状が円形である場合、その直径は、図１に示す口紙２８に形成した吸入口１の直径の±１５％として十分で、吸入口１の直径５２ｍｍが標準であることに対応して、気流制御ガイド６の直径は４５ｍｍ〜６０ｍｍとしてよい。しかし、吸入口１の直径以下に限ると、図１（ｂ）に示すように表裏の袋材１００ａ、１００ｂが密着し合う折り畳み状態で、気流制御ガイド６が吸入口１と嵌り合うので、それが立体形状であっても集塵袋１００の折り畳み状態での嵩が高くならないか、嵩高くなるのを抑えられるので、袋（図示せず）に入れて適数枚、例えば３枚セットにしたものを、適数組、例えば１０組を１つに梱包して取り扱うといった、他数枚重ねての取り扱いに有利となる。
【００７４】
また、図１に示すように、気流制御ガイド６を吸入口１よりも小さくすれば、折り畳んだ状態の集塵袋１００の被吸引側袋壁２の所定位置に、吸入口１を通じて気流制御ガイド６を後置きすることができる。すると、吸入口１を通じ露出している付着周辺部６ｃを集塵袋１００の被吸引側袋壁２に対し溶着などして付着することができる。すなわち、集塵袋１００の形成後の後付け作業で、気流制御ガイド６を被吸引側袋壁２の所定位置に配置することができる。これは、既製品の改良に有利であるし、既製品の製造ラインを変更することなく従来通りに形成した集塵袋１００に対し、気流制御ガイド６を後付けする工程を付加するか、別途行えばよく、製造ライン、製造工程の大掛かりな変更が不要になるという効果を奏する。
【００７５】
もっとも、専用の製造ラインを構築するような場合は、まず、袋材１００ａ、１００ｂを切り取る長尺のシートを連続搬送しながら、搬送途中で、一方に吸入口１を持った口紙２８を一定のピッチで貼着するのに併せ、他方に気流制御ガイド６を前記貼着される口紙２８の吸入口１に対応して一定のピッチで付着させる。そして、これらの工程後に両長尺シートを吸入口１および気流制御ガイド６とが対向し合うように合わせてから、両長尺シートどうしを袋材１００ａ、１００ｂ単位の周辺での封止を行って連続した集塵袋１００を形成する。
【００７６】
そして、最後に、連続に形成した各集塵袋１００を個々のものに裁断する、もしくは打ち抜いていくことでも効率よく製造することができる。この場合、気流制御ガイド６の正面形状や大きさが吸入口１との関係で制限されることはない。また、気流制御ガイド６の直径を吸入口１の直径と等しいかこれに近いものとすることで、吸入口１が気流制御ガイド６を後付けする場合の位置決め基準になるし、気流制御ガイド６との嵌め合せでそれを付着位置に位置決めすることができる。
【００７７】
以上のように、本実施の形態においては、気流制御ガイド６が集塵袋１００の内部に設けられている形態について説明したが、気流制御ガイド６は集塵袋１００の吸入口１に対向する位置に設けられていればよく、例えば、図６（ｆ）に示すように、集塵袋１００の外側に設けられていてもよい。
【産業上の利用可能性】
【００７８】
以上のように本発明に係る電気掃除機用集塵袋は、集塵率が良く、被吸引側袋壁の目詰まり防止効果が高く、さらには集塵した塵埃による排気臭の問題を抑制することができるもので、家庭用、業務用の各種電気掃除機に適用できる。
【符号の説明】
【００７９】
１  吸入口
２  被吸引側袋壁
２ａ  対向域
３  吸入風
３ａ  反転気流
４  側周袋壁
５  吸入口側袋壁
６  気流制御ガイド
６ａ  付着域
６ｂ  非付着域
６ｃ  付着周辺部
６ｄ  ガイド面
６ｅ  立ち上がり周壁
６ｆ  脚リブ
６ｇ  凸部
６ｈ  尖鋭突部
６ｉ  山状突部
６ｊ  凹曲面
６ｎ  頂点部
７  通気部（隙間）
８  排気口
２１  電動送風機
２２  送風機室
２２ａ  仕切壁
２３  集塵室
２４  吸引口
２５  ホース接続口
２７  通気支持部
２８  口紙
２９  口紙挿入部
３０  押さえ片
３１  シール部材
３８  塵埃
４２  リブ
４６  浮きスペース（空間）
１００  集塵袋
２００  電気掃除機
３００  掃除機本体
６００  粉末状材料
７００  シリカゲル粒
【図１】
2011244972.tif 000003
【図２】
2011244972.tif 000004
【図３】
2011244972.tif 000005
【図４】
2011244972.tif 000006
【図５】
2011244972.tif 000007
【図６】
2011244972.tif 000008
【図７】
2011244972.tif 000009
【図８】
2011244972.tif 000010
【図９】
2011244972.tif 000011
【図１０】
2011244972.tif 000012
【図１１】
2011244972.tif 000013
【図１２】
2011244972.tif 000014